(57)【特許請求の範囲】
【請求項１】
不必要なＵＥ障害標識の送信を最小化するための、デュアルコネクティビティ動作をサポートするネットワークにおいて動作するユーザ機器（ＵＥ）（１２）における方法（６００）であって、
複数のセカンダリセルグループ（ＳＣＧ）障害トリガイベントのうちの１つのＳＣＧ障害トリガイベントを検出することに応じて、前記ＵＥ（１２）についてのＳＣＧ障害を検出すること（６１０）と、
検出される前記ＳＣＧ障害に応じて、ＵＥ障害標識メッセージを送信すること（６２０）と、
さらなるＵＥ障害標識メッセージの送信が再有効化されるまで、前記複数のＳＣＧ障害トリガイベントのいずれに対してもさらなるＵＥ障害標識メッセージの送信を差し控えること（６３０）と、
を含む方法（６００）。
【請求項２】
検出される前記ＳＣＧ障害トリガイベントは、
ＳＣＧ変更障害タイマの満了、
ＳＣＧ物理レイヤ障害タイマの満了、
ＳＣＧランダムアクセスチャネル（ＲＡＣＨ）障害、
ＳＣＧメディアアクセス制御（ＭＡＣ）障害、及び、
ＳＣＧ無線リンク制御（ＲＬＣ）障害、
のうちの１つである、請求項１の方法（６００）。
【請求項３】
さらなるＵＥ障害メッセージの送信を差し控えること（６３０）は、前記ＵＥの状態をＵＥ禁止状態に設定すること（６４０）、を含み、前記ＵＥ禁止状態にある間、さらなるＵＥ障害標識メッセージを送信することが禁止される、請求項１又は請求項２の方法（６００）。
【請求項４】
前記ＵＥ禁止状態にある間、ＳＣＧ物理レイヤ障害タイマを開始することを禁止すること、をさらに含む、請求項３の方法（６００）。
【請求項５】
無線リソース制御（ＲＲＣ）接続再構成メッセージの受信に応じて、前記ＵＥ状態をリセットすること、をさらに含む、請求項３又は請求項４の方法（６００）。
【請求項６】
ＳＣＧを解放し又は修正するようにＳＣＧパラメータを再構成する前記ＲＲＣ接続再構成メッセージに応じて、前記ＵＥ状態をリセットすること、をさらに含む、請求項５の方法（６００）。
【請求項７】
デュアルコネクティビティをアクティブ化するための再構成メッセージに応じて、前記ＵＥ状態をリセットすること、をさらに含む、請求項３又は請求項４の方法（６００）。
【請求項８】
ＳＣＧ変更障害タイマの開始に応じて、前記ＵＥ状態をリセットすること、をさらに含む、請求項３又は請求項４の方法（６００）。
【請求項９】
アイドル状態から接続済み状態への移行に応じて、前記ＵＥ状態をリセットすること、をさらに含む、請求項３又は請求項４の方法（６００）。
【請求項１０】
前記ＵＥ障害標識への返答が受信されなかったという判定に応じて、前記ＵＥ状態をリセットすること、をさらに含む、請求項３又は請求項４の方法（６００）。
【請求項１１】
さらなるＵＥ障害メッセージの送信を差し控えること（６３０）は、禁止タイマを開始すること（６５０）、を含み、前記禁止タイマの期間中に、さらなるＵＥ障害標識メッセージを送信することが禁止される、請求項１又は請求項２の方法（６００）。
【請求項１２】
前記ＵＥ状態にある間、ＳＣＧ物理レイヤ障害タイマの開始を禁止すること、をさらに含む、請求項１１の方法（６００）。
【請求項１３】
他の通信デバイスから無線リソース制御（ＲＲＣ）接続再構成メッセージを受信することに応じて、前記禁止タイマを停止すること、をさらに含む、請求項１１又は請求項１２の方法（６００）。
【請求項１４】
ＳＣＧを解放し又は修正するようにＳＣＧパラメータを再構成する前記ＲＲＣ接続再構成メッセージに応じて、前記禁止タイマを停止すること、をさらに含む、請求項１３の方法（６００）。
【請求項１５】
ＳＣＧ障害が検出された後の最初の成功裏の無線リソース制御（ＲＲＣ）構成に応じて、前記禁止タイマを停止すること、をさらに含む、請求項１１又は請求項１２の方法（６００）。
【請求項１６】
ＳＣＧ変更障害タイマの開始に応じて、前記禁止タイマを停止すること、をさらに含む、請求項１１又は請求項１２の方法（６００）。
【請求項１７】
前記ＵＥ障害標識への返答が受信されなかったという判定に応じて、前記禁止タイマを停止すること、をさらに含む、請求項１１又は請求項１２の方法（６００）。
【請求項１８】
接続済み状態からアイドル状態への移行に応じて、前記禁止タイマを停止すること、をさらに含む、請求項１１又は請求項１２の方法（６００）。
【請求項１９】
デュアルコネクティビティをアクティブ化するための再構成に応じて、前記禁止タイマを停止すること、をさらに含む、請求項１１又は請求項１２の方法（６００）。
【請求項２０】
前記禁止タイマの満了又は停止後に、他のＵＥ障害標識メッセージを送信すること、をさらに含む、請求項１１〜１９のいずれかの方法（６００）。
【請求項２１】
他のＵＥ障害標識メッセージを送信することは、前記禁止タイマの満了又は停止後に、前記ＵＥ障害標識を再送すること、を含む、請求項２０の方法（６００）。
【請求項２２】
他のＵＥ障害標識メッセージを送信することは、前記ＵＥ障害標識内のレポート対象障害タイプの代わりに、最新のレポート対象障害タイプを送信すること、を含む、請求項２０の方法（６００）。
【請求項２３】
前記禁止タイマの満了又は停止の後に送信される前記ＵＥ障害標識内に、その時点の測定結果を含めること、をさらに含む、請求項２０〜２２のいずれかの方法（６００）。
【請求項２４】
無線リソース制御（ＲＲＣ）メッセージ内で前記禁止タイマの長さを受信することと、
受信される前記長さに従って、前記禁止タイマを設定することと、
をさらに含む、請求項１１〜２３のいずれかの方法（６００）。
【請求項２５】
ワイヤレスネットワーク内でメッセージを通信するように適合される無線回路（３２）を備え、請求項１〜２４のいずれかの前記方法（６００）を遂行するように適合される処理ユニット（３０）をさらに備える、ユーザ機器（ＵＥ）（１２）。
【請求項２６】
ユーザ機器（ＵＥ）であって、
複数のセカンダリセルグループ（ＳＣＧ）障害トリガイベントのうちの１つのＳＣＧ障害トリガイベントを検出することに応じて、前記ＵＥ（１２）についてのＳＣＧ障害を検出し、
検出される前記ＳＣＧ障害に応じて、ＵＥ障害標識メッセージを送信し、
さらなるＵＥ障害標識メッセージの送信が再有効化されるまで、前記複数のＳＣＧ障害トリガイベントのいずれに対してもさらなるＵＥ障害標識メッセージの送信を差し控える、
ように適合されるＵＥ（１２）。
【請求項２７】
ユーザ機器（ＵＥ）であって、
複数のセカンダリセルグループ（ＳＣＧ）障害トリガイベントのうちの１つのＳＣＧ障害トリガイベントを検出することに応じて、前記ＵＥ（１２）についてのＳＣＧ障害を検出するための検出モジュール（９０２）と、
検出される前記ＳＣＧ障害に応じて、ＵＥ障害標識メッセージを送信するための送信モジュール（９０４）と、
さらなるＵＥ障害標識メッセージの送信が再有効化されるまで、前記複数のＳＣＧ障害トリガイベントのいずれに対してもさらなるＵＥ障害標識メッセージの送信を差し控えるための差し控えモジュール（９０６）と、
を備えるＵＥ（１２）。
【請求項２８】
ユーザ機器（ＵＥ）（１２）内の処理ユニットのためのプログラム命令を含むコンピュータプログラムであって、前記プログラム命令は、前記処理ユニット（３０）により実行された場合に、前記ＵＥ（１２）に、
複数のセカンダリセルグループ（ＳＣＧ）障害トリガイベントのうちの１つのＳＣＧ障害トリガイベントを検出することに応じて、前記ＵＥ（１２）についてのＳＣＧ障害を検出することと、
検出される前記ＳＣＧ障害に応じて、ＵＥ障害標識メッセージを送信することと、
さらなるＵＥ障害標識メッセージの送信が再有効化されるまで、前記複数のＳＣＧ障害トリガイベントのいずれに対してもさらなるＵＥ障害標識メッセージの送信を差し控えることと、
を行わせるように構成される、コンピュータプログラム。
【請求項２９】
非一時的なコンピュータ読取可能な媒体（３６）であって、当該媒体上に記憶された請求項２８の前記コンピュータプログラムを含む、非一時的なコンピュータ読取可能な媒体（３６）。
【請求項３０】
不必要なユーザ機器（ＵＥ）障害標識のＵＥ（１２）からの送信を最小化するための、ネットワークノード（１０）内の方法（８００）であって、
複数のセカンダリセルグループ（ＳＣＧ）障害トリガイベントのうちの１つのＳＣＧ障害トリガイベントを検出することに応じて前記ＵＥ（１２）から送信された、前記複数のＳＣＧ障害トリガイベントのいずれに対しても前記ＵＥ（１２）がさらなるＵＥ障害標識を送信することを禁止されることを示すＵＥ障害標識メッセージを受信すること（８１０）と、
前記ＵＥ（１２）が前記ＳＣＧ障害トリガイベントに応じてＵＥ障害標識を送信するように再有効化されることを前記ＵＥ（１２）に示すための無線リソース制御（ＲＲＣ）接続再構成メッセージを送信すること（８２０）と、
を含む方法（８００）。
【請求項３１】
前記ＵＥ（１２）へ無線リソース制御（ＲＲＣ）メッセージ内で禁止タイマの長さを送信すること、をさらに含み、
前記ＵＥ（１２）の前記禁止タイマは、前記禁止タイマの期間中のＵＥ障害標識の送信を禁止する、
請求項３０の方法（８００）。
【請求項３２】
ワイヤレスネットワーク内でメッセージを通信するように適合される無線回路（４２）を備え、請求項３０又は請求項３１の前記方法（８００）を遂行するように適合される処理ユニット（４０）をさらに備える、ネットワークノード（１０）。
【請求項３３】
ネットワークノード（１０）であって、
複数のセカンダリセルグループ（ＳＣＧ）障害トリガイベントのうちの１つのＳＣＧ障害トリガイベントを検出することに応じてユーザ機器（ＵＥ）（１２）から送信された、前記複数のＳＣＧ障害トリガイベントのいずれに対しても前記ＵＥ（１２）がさらなるＵＥ障害標識を送信することを禁止されることを示すＵＥ障害標識メッセージを受信し、
前記ＵＥ（１２）が前記ＳＣＧ障害トリガイベントに応じてＵＥ障害標識を送信するように再有効化されることを前記ＵＥ（１２）に示すための無線リソース制御（ＲＲＣ）接続再構成メッセージを送信する、
ように適合されるネットワークノード（１０）。
【請求項３４】
ネットワークノード（１０）であって、
複数のセカンダリセルグループ（ＳＣＧ）障害トリガイベントのうちの１つのＳＣＧ障害トリガイベントを検出することに応じてユーザ機器（ＵＥ）（１２）から送信された、前記複数のＳＣＧ障害トリガイベントのいずれに対しても前記ＵＥ（１２）がさらなるＵＥ障害標識を送信することを禁止されることを示すＵＥ障害標識メッセージを受信するための受信モジュール（１００２）と、
前記ＵＥ（１２）が前記ＳＣＧ障害トリガイベントに応じてＵＥ障害標識を送信するように再有効化されることを前記ＵＥ（１２）に示すための無線リソース制御（ＲＲＣ）接続再構成メッセージを送信するための送信モジュール（１００４）と、
を備えるネットワークノード（１０）。
【請求項３５】
ネットワークノード（１０）内の処理ユニット（４０）のためのプログラム命令を含むコンピュータプログラムであって、前記プログラム命令は、前記処理ユニット（４０）により実行された場合に、前記ネットワークノード（１０）に、
複数のセカンダリセルグループ（ＳＣＧ）障害トリガイベントのうちの１つのＳＣＧ障害トリガイベントを検出することに応じてユーザ機器（ＵＥ）（１２）から送信された、前記複数のＳＣＧ障害トリガイベントのいずれに対しても前記ＵＥ（１２）がさらなるＵＥ障害標識を送信することを禁止されることを示すＵＥ障害標識メッセージを受信することと、
前記ＵＥ（１２）が前記ＳＣＧ障害トリガイベントに応じてＵＥ障害標識を送信するように再有効化されることを前記ＵＥ（１２）に示すための無線リソース制御（ＲＲＣ）接続再構成メッセージを送信することと、
を行わせるように構成される、コンピュータプログラム。
【請求項３６】
非一時的なコンピュータ読取可能な媒体（４６）であって、当該媒体上に記憶された請求項３５の前記コンピュータプログラムを含む、非一時的なコンピュータ読取可能な媒体（４６）。
【発明の詳細な説明】
【技術分野】
【０００１】
本発明は、概して、ワイヤレス通信ネットワークに関し、具体的には、障害の検出及び通知に関する。
【背景技術】
【０００２】
３ＧＰＰ（3rd  Generation  Partnership  Project）は、ＬＴＥ（Long  Term  Evolution）及びＳＡＥ（System  Architecture  Evolution）というコンセプトからなるＥ−ＵＴＲＡＮ（Evolved  Universal  Terrestrial  Radio  Access  Network）を仕様化しつつある。図１にＬＴＥシステムのアーキテクチャが示されている。
【０００３】
ＬＴＥのデュアルコネクティビティは、ユーザ機器（ＵＥ）の観点から定義された特徴であり、デュアルコネクティビティにおいて、ＵＥは同時に２つの異なるｅＮＢとの間でデータを送受信し得る。この特徴は、３ＧＰＰリリース１２の一部である。通常、２つの異なるｅＮＢは、マスタｅＮｏｄｅＢ（ＭｅＮＢ）及びセカンダリｅＮｏｄｅＢ（ＳｅＮＢ）と称される。ＭｅＮＢ及びＳｅＮＢは、異なる周波数上で動作して、マスタセルグループ（ＭＣＧ）及びセカンダリセルグループ（ＳＣＧ）という別個のセルグループをＵＥに提供する。
【０００４】
図２に示したような、ＬＴＥ向けの３ＧＰＰ仕様のリリース１２（Ｒｅｌ−１２）についてのプロトコルアーキテクチャは、ＭｅＮＢベアラ、スプリットベアラ及びＳｅＮＢベアラという３種類の無線ベアラをサポートする。リリース１２以前のＬＴＥ、即ちデュアルコネクティビティの導入以前では、ＵＥによって、ハンドオーバ障害（ＨＯＦ）及び無線リンク障害（ＲＬＦ）が検出可能である。ＵＥは、そうした障害の検出後に、自身の接続の再確立を試行する。さもなければ、ＵＥはアイドルになる。
【０００５】
詳しくは、次のような検出方法が検討された。モビリティ制御情報を含む無線リソース制御（ＲＲＣ）接続再構成メッセージの受信後に、Ｔ３０４タイマなどのハンドオーバ障害タイマが開始される。Ｔ３０４タイマは、ターゲットハンドオーバセルへの成功裏のランダムアクセスの後に停止される。Ｔ３０４タイマの満了は、ＲＲＣ接続の再確立のための手続をトリガする。ＵＥがＲＲＣ接続の再確立を試行する際に、Ｔ３１１タイマなどの再確立タイムアウトタイマが開始され、Ｔ３１１タイマは、成功裏の再確立の際に停止される。Ｔ３１１タイマの満了時に、ＵＥは、アイドルになり、又は再確立が不成功になったことを宣言する。物理レイヤの問題が物理レイヤにより示されると、Ｔ３１０タイマなどの物理レイヤ（ＰＨＹ）障害タイマの検出が開始され、Ｔ３１０タイマは、物理レイヤにより物理レイヤ障害が解決されたことが示されると停止される。物理レイヤ障害タイマが満了すると、ＲＲＣ接続の再確立がトリガされる。Ｔ３１０タイマは、再確立が既に進行中ではない場合にのみ（即ち、Ｔ３１１が稼動中でない場合のみ）、且つ成功裏のハンドオーバの後にのみ（即ち、Ｔ３０４が稼動中でない場合のみ）開始されることができる。
【０００６】
他の障害検出方法は、再確立が既に進行中ではない（Ｔ３１１が稼動中でない）場合、且つ成功裏のハンドオーバの後（即ち、Ｔ３０４が稼動中でない）にのみ、ＲＲＣ接続の再確立をトリガする、ランダムアクセス手続（ランダムアクセスチャネルあるいはＲＡＣＨ）障害を含む。無線リンク制御（ＲＬＣ）障害は、再確立が既に進行中ではない（Ｔ３１１が稼動中でない）場合に、ＲＲＣ接続の再確立をトリガする。ＲＬＣ障害は、Ｔ３０４が稼動中である場合には発生不能であり、なぜなら、その時間ピリオドの期間中にランダムアクセス手続は保留となりＲＬＣ再送信は開始前だからである。
【０００７】
デュアルコネクティビティのために、セカンダリセルグループ障害（ＳＣＧ障害）あるいはＳｅＮＢ無線リンク障害（Ｓ−ＲＬＦ）として知られる新たなイベントが導入された。このイベントがトリガされると、ＵＥは、ＳｅＮＢにおけるアップリンク送信を停止し、ＳＣＧ及びスプリットベアラを一時中断し、並びに、ＭｅＮＢへある標識を送信する。その標識は、アップリンクにおいてＲＲＣメッセージを介して送信され、“ＵＥ障害標識”と呼ばれ得る。これを“ＳＣＧ障害情報メッセージ”として見なすことができる。
【０００８】
以下は、ＳＣＧ障害トリガイベントであると考えられる。ＳＣＧ変更障害タイマ（Ｔ３０７タイマとしても知られる）は、ＳＣＧ変更がトリガされる際に開始され、新たなＳＣＧへの成功裏のランダムアクセスの後に停止される。ＳＣＧ変更障害タイマは、リリース１２以前のＴ３０４ハンドオーバ障害タイマと同様であり、但しＳＣＧに関連するものであって、ハンドオーバと同様の手続がＳＣＧ変更と呼ばれる。ＳＣＧ変更障害タイマが満了すると、ＵＥは、ＭｅＮＢへのＲＲＣメッセージで障害を指し示すことをトリガする。ＳＣＧ物理レイヤ（ＰＨＹ）障害タイマ（Ｔ３１３タイマとしても知られる）は、ＳＣＧ変更がその時点で進行中ではない（ＳＣＧ変更障害タイマが稼動中ではない）限り、ＳＣＧ  ＰＨＹの問題が検出された際に開始される。ＳＣＧ  ＰＨＹ障害タイマは、リリース１２以前の無線リンク障害タイマＴ３１０と同様であり、但しＳＣＧ  ＰＨＹ障害タイマはＳＣＧに関連するものである。このＳＣＧ  ＰＨＹ障害タイマは、ＳＣＧ物理レイヤの問題がＳＣＧ  ＰＨＹにより解決されたことが示されると停止される。ＳＣＧ  ＰＨＹ障害タイマが満了すると、ＵＥは、ＭｅＮＢへのＲＲＣメッセージにおける障害標識をトリガする。ＳＣＧ  ＭＡＣ障害は、ＳＣＧ変更がその時点で進行中ではない（ＳＣＧ変更障害タイマが稼動中ではない）場合に、ＭｅＮＢへのＲＲＣメッセージにおけるＵＥ障害標識の送信をトリガする。ＳＣＧ  ＭＡＣ障害は、ＵＥが構成可能な閾値よりも多い回数ランダムアクセス手続及びプリアンブル送信を繰り返した場合に生じる。ＳＣＧ  ＲＬＣ障害は、ＭｅＮＢへのＵＥ障害標識ＲＲＣメッセージの送信をトリガするが、ＳＣＧ  ＲＬＣ障害は、ＳＣＧ変更障害タイマが稼動中である間は発生不能である。ＳＣＧ  ＲＬＣ障害は、ＲＬＣ再送の回数が構成可能な閾値を超過した際に生じる。
【０００９】
障害イベントの各々において、ＲＲＣメッセージ内で障害のタイプが示されるものと想定される。現時点では、上で定義した同時に起こり得る複数のＳＣＧ障害検出方法のためにいくつの（及びいつ）ＵＥ障害標識ＲＲＣメッセージがＭｅＮＢへ送信されるのかが不明確である。多過ぎるＵＥ障害標識は、無線リソースの無駄であって、不必要にＭｅＮＢに負荷をかけかねない。
【発明の概要】
【００１０】
本発明概念の実施形態は、ＳＣＧ障害検出の後に不必要なＵＥ障害標識が送信されることの禁止について説明する。禁止タイマ又はＵＥにおける禁止状態により、これを達成することができる。
【００１１】
いくつかの実施形態によれば、不必要なＵＥ障害標識の送信を最小化するための、デュアルコネクティビティ動作をサポートするネットワークにおいて動作するＵＥにおける方法は、複数のＳＣＧ障害トリガイベントのうちの１つのＳＣＧ障害トリガイベントを検出することに応じて、上記ＵＥについてのＳＣＧ障害を検出すること、を含む。また、上記方法は、検出される上記ＳＣＧ障害に応じて、ＵＥ障害標識メッセージを送信することと、さらなるＵＥ障害標識メッセージの送信が再有効化されるまで、ＳＣＧ障害トリガイベントに応じたさらなるＵＥ障害標識メッセージの送信を差し控えることと、をも含む。
【００１２】
いくつかのケースにおいて、上記差し控えることは、上記ＵＥの状態をＵＥ禁止状態に設定して、上記ＵＥ禁止状態にある間、さらなるＵＥ障害標識メッセージを送信することを禁止すること、を含んでもよい。他のケースにおいて、上記差し控えることは、禁止タイマを開始して、上記禁止タイマの期間中に、さらなるＵＥ障害標識メッセージを送信することを禁止すること、を含んでもよい。
【００１３】
いくつかの実施形態によれば、ＵＥは、複数のＳＣＧ障害トリガイベントのうちの１つのＳＣＧ障害トリガイベントを検出することに応じて、上記ＵＥについてのＳＣＧ障害を検出し、検出される上記ＳＣＧ障害に応じて、ＵＥ障害標識メッセージを送信し、さらなるＵＥ障害標識メッセージの送信が再有効化されるまで、ＳＣＧ障害トリガイベントに応じたさらなるＵＥ障害標識メッセージの当該送信を差し控える、ように適合される。
【００１４】
いくつかのケースにおいて、上記ＵＥは、上記ＵＥの状態をＵＥ禁止状態に設定して、上記ＵＥ禁止状態にある間、さらなるＵＥ障害標識メッセージを送信することを禁止する、ように適合される。他のケースにおいて、上記ＵＥは、禁止タイマを開始して、上記禁止タイマの期間中に、さらなるＵＥ障害標識メッセージを送信することを禁止する、ように適合される。
【００１５】
いくつかの実施形態によれば、不必要なＵＥ障害標識の送信を最小化するための、ネットワークノード内の方法は、ＳＣＧ障害トリガイベントに応じて上記ＵＥがＵＥ障害標識を送信することを禁止されることを示すＵＥ障害標識メッセージを受信することと、上記ＵＥがＳＣＧ障害トリガイベントに応じてＵＥ障害標識を送信するように再有効化されることを上記ＵＥに示すためのＲＲＣ接続再構成メッセージを送信することと、を含む。
【００１６】
いくつかの実施形態によれば、ネットワークノードは、ＳＣＧ障害トリガイベントに応じてＵＥがＵＥ障害標識を送信することを禁止されることを示すＵＥ障害標識メッセージを受信し、上記ＵＥがＳＣＧ障害トリガイベントに応じてＵＥ障害標識を送信するように再有効化されることを上記ＵＥに示すためのＲＲＣ接続再構成メッセージを送信する、ように適合される。
【００１７】
さらなる実施形態は、処理回路により実行された場合に上述した実施形態の動作を行う命令を記憶する、コンピュータプログラムプロダクト及び非一時的なコンピュータ読取可能な媒体を含んでもよい。
【００１８】
当然ながら、本発明は、上述した特徴及び利点には限定されない。実際、当業者は、以下の詳細な説明を読み、添付図面を見れば、追加的な特徴及び利点を認識するであろう。
【図面の簡単な説明】
【００１９】
【図１】ＬＴＥの例示的なアーキテクチャを例示している。
【図２】３つのベアラをサポートすることを含む、３ＧＰＰリリース１２についてのアーキテクチャを例示している。
【図３】いくつかの実施形態に係る、不必要なＵＥ障害標識の送信を最小化するための、ＵＥにおける方法を例示するフローチャートである。
【図４】いくつかの実施形態に係る、不必要なＵＥ障害標識の送信を最小化するための、ＵＥにおける他の方法を例示するフローチャートである。
【図５】いくつかの実施形態に係る、不必要なＵＥ障害標識の送信を最小化するように構成されるＵＥのブロック図である。
【図６】いくつかの実施形態に係る、不必要なＵＥ障害標識の送信を最小化するための、ＵＥにおける方法を例示するフローチャートである。
【図７】いくつかの実施形態に係る、不必要なＵＥ障害標識の送信の最小化においてＵＥを支援する情報を提供するように構成される基地局のブロック図である。
【図８】いくつかの実施形態に係る、不必要なＵＥ障害標識の送信の最小化においてＵＥを支援する情報を提供するための、基地局における方法を例示するフローチャートである。
【図９】いくつかの実施形態に係る、不必要なＵＥ障害標識の送信を最小化するための、ＵＥの機能的な実装のブロック図である。
【図１０】いくつかの実施形態に係る、不必要なＵＥ障害標識の送信の最小化においてＵＥを支援する情報を提供するための、基地局の機能的な実装のブロック図である。
【発明を実施するための形態】
【００２０】
ＬＴＥのデュアルコネクティビティのシナリオにおいて、ＳＣＧ障害後のＵＥ障害標識が複数回送信されるかもしれない。これは、ＳＣＧ  ＰＨＹ、ＳＣＧ  ＲＡＣＨ及びＳＣＧ  ＲＬＣ障害検出の評価が、互いに独立して並列に稼働するという事実に起因する。ＬＴＥのレガシーの振る舞いでは、並列的なＳＣＧ  ＰＨＹ、ＲＡＣＨ及びＲＬＣ障害検出は、Ｔ３１１タイマが稼動中である場合に後続の再確立をトリガすることを回避することによりハンドリングされる。
【００２１】
ここで説明される実施形態は、ＬＴＥデュアルコネクティビティにおいて複数回のＳＣＧ障害トリガイベントを制御する解決策を提供する。
【００２２】
［禁止状態］
図３は、不必要なＵＥ障害標識を最小化するためのＵＥ禁止状態（UE  prohibit  state）の使用を例示している。一旦ＵＥがＳＣＧ障害をトリガし（ブロック３０２）、ＭｅＮＢへＵＥ障害標識メッセージを送信すると（ブロック３０６）、ＵＥは、自身がＳＣＧ障害状態にあると見なす（ブロック３０４）。ＳＣＧ障害状態は、例えばＳＣＧ変更障害タイマの満了、ＳＣＧ  ＰＨＹ障害タイマの満了、ＳＣＧ  ＲＡＣＨ障害、又はＳＣＧ  ＲＬＣ障害の検出に起因してトリガされ得る。ＵＥ状態は、ＵＥ禁止状態に設定される（ブロック３０８）。禁止状態は、ＵＥ変数の手段により実装され得る。
【００２３】
このＵＥ禁止状態の期間中に、ＵＥは、ＳＣＧ障害トリガイベントに応じてＳＣＧ障害をトリガすること又はそれ以上のＵＥ障害標識若しくは対応するＲＲＣメッセージを送信することを許可されない。例えば、ＵＥは、ＵＥ禁止状態にある場合、ＳＣＧ  ＰＨＹ障害タイマを開始することを禁止される。他の例において、ＵＥは、ＵＥ禁止状態にある場合、ＳＣＧ  ＰＨＹ障害タイマ満了時にＵＥ障害標識を送信することを禁止される。また、ＵＥは、当該ＵＥが既にＵＥ禁止状態にある場合に、ＳＣＧ  ＲＡＣＨ障害又はＳＣＧ  ＲＬＣ障害の検出時にＵＥ障害標識を送信することをも禁止される。
【００２４】
ＵＥを禁止状態に設定した後、最初にＲＲＣ接続再構成に成功すると（ブロック３１０）、ＵＥ状態はリセットされる（ブロック３１２）。これは、ＵＥ禁止状態が解除され、それによりＵＥがＵＥ障害標識を送信すること又はＳＣＧ障害状態をトリガすることが再び許可されることを意味する。いくつかのケースにおいて、一旦ＳＣＧ変更障害タイマが開始されると、ＵＥ状態はリセットされる。ＵＥ状態は、ＵＥがアイドル（IDLE）から接続済み（CONNECTED）へ移行する際、又はデュアルコネクティビティをアクティブ化するように再構成される際にリセットされる。
【００２５】
いくつかのケースにおいて、ＵＥ状態は、ＵＥが例えばＳＣＧを解放するか又は修正するＳＣＧパラメータを再構成するＲＲＣ接続再構成メッセージを受信した際にリセットされる。ＵＥがＭＣＧパラメータを構成するのみのＲＲＣ接続再構成メッセージを受信した場合には、ＵＥ状態は影響されない。
【００２６】
［禁止タイマ］
図４は、不必要なＵＥ障害標識を最小化するためのＵＥ禁止タイマの使用を例示している。いくつかのシナリオにおいてＭｅＮＢが潜在的に異なる複数のＳＣＧ障害に関し複数回通知されることが有益であり得る一方、ある時間にわたってＵＥ障害標識を禁止することが必要であり得る。必要とされる場合にＵＥ障害標識は送信され（ブロック４０６）、ＳＣＧ障害がトリガされる際に禁止タイマが開始される（ブロック４０２）。ＳＣＧ障害は、ＳＣＧ変更障害タイマの満了時のＳＣＧ変更障害、ＳＣＧ  ＰＨＹ障害タイマの満了に起因するＳＣＧ障害、ＳＣＧ  ＲＡＣＨ障害又はＳＣＧ  ＲＬＣ障害の検出時にトリガされ得る。禁止タイマの長さは、ネットワークによって構成されてよく、これはＲＲＣメッセージングで行うことを含む。
【００２７】
禁止タイマが既に稼働中でなければ、禁止タイマが開始されることになる（ブロック４０４）。禁止タイマの期間中、ＳＣＧ障害はトリガ不可とされ、及び／又は、ＳＣＧ障害トリガイベントに応じてＵＥ障害標識を送信することは不可とされる。禁止タイマは満了するかもしれず（ブロック４０８）、満了によってＵＥ障害標識の送信が再び可能となり（オプション４１０）、又はＳＣＧ障害をトリガすることが再び可能となる（オプション４１２）。
【００２８】
上記タイマは、ＳＣＧ障害が検出された後の最初の成功裏のＲＲＣ接続再構成の後に停止されてもよい。いくつかのケースにおいて、ＳＣＧ  ＰＨＹ障害タイマは、一旦ＳＣＧ変更障害タイマが開始されると停止される。いくつかのケースにおいて、禁止タイマは、ＳＣＧを解放し又は修正するなどＳＣＧパラメータを再構成するＲＲＣ接続再構成メッセージをＵＥが受信した場合に停止される。ＵＥがＭＣＧパラメータを構成するのみのＲＲＣ接続再構成を受信した場合には、禁止タイマは影響されない。
【００２９】
禁止タイマの満了は、送信を試行したＵＥ障害標識に対しＵＥが返答を受信しなかったことをも示し得る。例えば、送信失敗、ＭｅＮＢによる返答用ＲＲＣ接続再構成の未送信、又はＭｅＮＢによる返答の送信失敗などである。このケースでは、ＵＥは、ＳＣＧ障害に起因する他のＵＥ障害標識を送信することを許可されるはずである。これは、ＵＥ障害標識の禁止が終了させられたことを示し得る。
【００３０】
さらなる実施形態において、もとのＵＥ障害標識の反復的な送信が、禁止タイマの満了後に実行されてもよい。また別の実施形態においては、最後に報告された障害のタイプ（ＳＣＧ  ＰＨＹ、ＳＣＧ  ＭＡＣ、ＳＣＧ  ＲＡＣＨ、ＳＣＧ  ＲＬＣ又はＳＣＧ変更）がもとのＵＥ障害標識の障害タイプの障害原因に置き換わるものとされ、ＵＥ障害標識が再び送信されるものとされる。また、その時点の測定結果を新たなＵＥ障害標識内に含めることができる。
【００３１】
本発明概念のいくつかの実施形態は、図５に例示したＵＥ１２により実装される。ＵＥ１２は、ポータブルであり、ポケット収納可能であり、手持ち型であり、コンピュータ内蔵型であり、又は車両搭載型であり得る、移動端末、ワイヤレス端末及び／又は移動局として言及される任意のワイヤレスデバイスを表現する。例えば、ＵＥ１２は、モバイルフォン、セルラーフォン、ラップトップ、タブレットコンピュータ、又はワイヤレスケイパビリティを伴うサーフプレートであってもよい。ＵＥ１２は、他のデバイス、電話、若しくはサーバと無線アクセスネットワーク（ＲＡＮ）又はワイヤレス通信システムを介してワイヤレスに通信することを可能とされ、ワイヤレス通信システムは、セルラー無線システム又はセルラーネットワークとしても言及されることがある。セルラーネットワークは、複数のセルエリアへと分割される地理的エリアをカバーし、各セルエリアは無線ネットワークノードによりサービスされる。セルは、無線ネットワークノードにより無線カバレッジを提供される地理的エリアである。無線ネットワークノードは、使用される技術及び専門用語に依存して、例えば無線基地局（ＲＢＳ）、ｅＮＢ、ｅＮｏｄｅＢ、ＮｏｄｅＢ、Ｂノード又は基地送受信局（ＢＴＳ）といった基地局であってよい。基地局は、送信電力及びセルサイズに基づいて、マクロｅＮｏｄｅＢ、ホームｅＮｏｄｅＢ、又はピコ基地局といった様々なクラスのものであってもよい。
【００３２】
さらに、各無線ネットワークノードは、１つ又は複数の通信技術をサポートし得る。無線ネットワークノードは、無線ネットワークノードのレンジの範囲内のワイヤレスデバイスとの間で、無線周波数上で動作するエアインタフェースを介して通信する。ここで説明される多様な実施形態の文脈において、ダウンリンク（ＤＬ）との表現は、基地局からワイヤレスデバイスへの送信パスについて使用される。アップリンク（ＵＬ）との表現は、ワイヤレスデバイスから基地局といった反対方向の送信パスについて使用される。
【００３３】
図５に示したように、ＵＥ１２は、無線ネットワークノードと通信する無線回路３２、実施形態に関連する情報を記憶するメモリ３６、及び処理ユニット３０を伴って構成される。無線回路３２は、ｅＮＢなどのネットワークノードからＲＲＣ接続再構成メッセージなどの構成メッセージを受信する、ように構成される。無線回路３２は、ＵＥ障害標識メッセージを送信する、ようにさらに構成される。メモリ３６は、ここで説明した実施形態に関する情報を記憶する、ように構成され、記憶回路のいかなる混成を含んでもよい。メモリ３６は、コンピュータプログラム及び構成データのための非一時的なストレージを提供してもよい。処理ユニット３０は、１つ以上のマイクロプロセッサ、マイクロコントローラ、デジタル信号プロセッサ及び／又は他のデジタルロジックなどといった適切に構成された処理回路を含み、無線回路３２との間で交換されるデータ及び情報を処理する、ように構成される。
【００３４】
いくつかの実施形態によれば、処理ユニット３０は、複数のＳＣＧ障害トリガイベントのうちの１つを検出することに応じて、当該ＵＥについてのＳＣＧ障害を検出し、検出したＳＣＧ障害に応じて、ＵＥ障害標識メッセージを送信する、ように構成される。処理ユニット３０は、さらなるＵＥ障害標識メッセージの送信が再有効化されるまで、ＳＣＧ障害トリガイベントに応じたさらなるＵＥ障害標識メッセージの送信を差し控える、ようにも構成される。
【００３５】
いくつかのケースにおいて、処理ユニット３０は、ＵＥの状態をＵＥ禁止状態に設定して、ＵＥ禁止状態にある間、さらなるＵＥ障害標識メッセージを送信することを禁止する、ように適合される。他のケースにおいて、処理ユニット３０は、禁止タイマを起動して、禁止タイマの期間中にさらなるＵＥ障害標識メッセージを送信することを禁止する、ように適合される。オプションとして、処理ユニット３０は、基地局からＲＲＣ接続再構成メッセージが受信された際に、ＵＥ状態をリセットする、ように構成される。
【００３６】
その実装の詳細に関わらず、ＵＥ１２は、１つ以上の実施形態において、デュアルコネクティビティ動作をサポートするネットワークにおいて動作しながら、不必要なＵＥ障害標識の送信を最小化するための、図６に示したような方法６００を実行する、ように構成される。方法６００は、複数のＳＣＧ障害トリガイベントのうちの１つのＳＣＧ障害トリガイベントを検出することに応じて、当該ＵＥについてのＳＣＧ障害を検出すること（ブロック６１０）を含む。これらＳＣＧ障害トリガイベントは、ＳＣＧ変更障害タイマの満了、ＳＣＧ物理レイヤ障害タイマの満了、ＳＣＧ  ＲＡＣＨ障害、ＳＣＧ  ＭＡＣ障害、又はＳＣＧ  ＲＬＣ障害、を含み得る。
【００３７】
方法６００は、検出されるＳＣＧ障害に応じて、ＵＥ障害標識メッセージを送信すること（ブロック６２０）と、さらなるＵＥ障害標識メッセージの送信が再有効化されるまで、ＳＣＧ障害トリガイベントに応じたさらなるＵＥ障害標識メッセージの当該送信を差し控えること（ブロック６３０）と、をも含む。
【００３８】
いくつかのケースにおいて、さらなるＵＥ障害メッセージの送信を差し控えることは、ＵＥの状態をＵＥ禁止状態に設定することを含み、ＵＥ禁止状態にある間、さらなるＵＥ障害標識メッセージを送信することが禁止される（ブロック６４０）。ＵＥ禁止状態にある間、ＳＣＧ  ＰＨＹタイマを開始することもまた禁止されてよい。
【００３９】
さらなる実施形態によれば、ＲＲＣ接続再構成メッセージの受信に応じて、上記ＵＥ状態がリセットされる。これは、ＳＣＧを解放し又は修正するようにＳＣＧパラメータを再構成するＲＲＣ接続再構成メッセージに応じてＵＥ状態をリセットすること、を含んでもよい。また、デュアルコネクティビティをアクティブ化するための再構成メッセージ、ＳＣＧ変更障害タイマの開始、アイドル状態から接続済み状態への移行、又は、ＵＥ障害標識への返答が受信されなかったという判定に応じて、ＵＥ状態をリセットすることもできる。
【００４０】
他のケースにおいて、さらなるＵＥ障害メッセージの送信を差し控えることは、禁止タイマを開始すること、を含み、禁止タイマの期間中にさらなるＵＥ障害標識メッセージを送信することが禁止される（ブロック６５０）。ＵＥ禁止状態にある間、ＳＣＧ物理レイヤ障害タイマの開始が禁止され得る。禁止タイマの長さは、予め決定される長さ又はＲＲＣメッセージなどのメッセージにおいて受信される長さに従って設定されてよい。
【００４１】
禁止タイマは、ある状況下で満了し又は停止され得る。例えば、禁止タイマは、他の通信デバイスからＲＲＣ接続再構成メッセージ又はデュアルコネクティビティ再構成メッセージを受信することに応じて停止される。禁止タイマは、ＳＣＧを解放し又は修正するようにＳＣＧパラメータを再構成するＲＲＣ接続再構成メッセージに応じて停止されてもよい。いくつかのケースにおいて、禁止タイマは、ＳＣＧ障害が検出された後の最初の成功裏のＲＲＣ構成に応じて停止される。禁止タイマは、ＳＣＧ変更障害タイマの開始、ＵＥ障害標識への返答が受信されなかったという判定、接続済み状態からアイドル状態への移行、又はデュアルコネクティビティをアクティブ化するための再構成に応じて、停止されてもよい。
【００４２】
さらなる実施形態において、方法６００は、禁止タイマの満了又は停止後に、他のＵＥ障害標識メッセージを送信すること、をも含み得る。これは、禁止タイマの満了又は停止後にＵＥ障害標識を再送すること、を含んでもよい。他のＵＥ障害標識メッセージを送信することは、ＵＥ障害標識内のレポート対象障害タイプの代わりに、最新のレポート対象障害タイプを送信すること、をも含んでよい。禁止タイマの満了又は停止の後に送信されるＵＥ障害標識内で、その時点の測定結果もまた送信されてよい。
【００４３】
本発明のいくつかの実施形態は、図７に例示した基地局１０などの無線ネットワークノードにより実装される。基地局１０は、サービス対象のＵＥ１２などのワイヤレスデバイスと通信する無線回路４２、他の無線ネットワーク及びコアネットワークノードと通信するための通信回路４８、実施形態に関連する情報を記憶するメモリ４６、及び処理ユニット４０を伴って構成される。通信回路４８は、モビリティ管理エンティティ（ＭＭＥ）といったコアネットワークノードとの間で、ここで説明した実施形態に関する情報及びシグナリングを送受信するように構成される。無線回路４２は、ＵＥ１２からＵＥ障害標識メッセージなどのメッセージを受信し、及び構成メッセージを送信する、ように構成される。
【００４４】
メモリ４６は、ここで説明した実施形態に関する情報を記憶する、ように構成され、記憶回路のいかなる混成を含んでもよい。メモリ４６は、コンピュータプログラム及び構成データのための非一時的なストレージを提供してもよい。処理ユニット４０は、１つ以上のマイクロプロセッサ、マイクロコントローラ、デジタル信号プロセッサ及び／又は他のデジタルロジックなどといった適切に構成された処理回路を含み、通信及び無線回路４２、４８との間で交換されるデータ及び情報を処理する、ように構成される。処理ユニット４０は、ＳＣＧ障害トリガイベントに応じてＵＥ１２がＵＥ障害標識を送信することを禁止されることを示すＵＥ障害標識メッセージを受信し、ＵＥ１２がＳＣＧ障害トリガイベントに応じてＵＥ障害標識を送信するように再有効化されることをＵＥ１２に示すためのＲＲＣ接続再構成メッセージを送信する、ように構成される。
【００４５】
その実装の詳細に関わらず、基地局１０は、１つ以上の実施形態において、ＳＣＧ障害トリガイベントに応じてＵＥ１２がＵＥ障害標識を送信することを禁止されることを示すＵＥ障害標識メッセージを受信すること（ブロック８１０）と、ＵＥ１２がＳＣＧ障害トリガイベントに応じてＵＥ障害標識を送信するように再有効化されることをＵＥ１２に示すためのＲＲＣ接続再構成メッセージなどのメッセージを送信すること（ブロック８２０）と、を含む方法８００を実行する、ように構成される。
【００４６】
いくつかのケースにおいて、方法８００は、ＵＥ１２へＲＲＣメッセージ内で、禁止タイマの長さを送信すること、をさらに含んでよく、ＵＥ１２の禁止タイマは、禁止タイマの期間中のＵＥ障害標識の送信を禁止する。
【００４７】
理解されるべきこととして、図３、図４、図６及び図８に例示した方法は、上でより充分に説明した技法の例である。それら方法の各々は、議論されたバリエーション及び詳細のいずれに従って修正されてもよい。図３、図４、図６及び図８に例示した方法並びにそれらの派生が、図５及び図７に例示した処理ユニットを用いて適切なように実装されてよく、処理ユニットは、上述した動作を遂行するためのメモリ回路内に記憶される適切なプログラムコードを伴って構成される処理回路である。現に開示される技法の実施形態は、ワイヤレス端末における応用のためのコンピュータプログラムプロダクトをさらに含み、加えて、基地局装置又は他のネットワークノード装置における応用のための対応するコンピュータプログラムプロダクトをも含む。プログラムコード又はコンピュータプログラム命令は、非一時的な有形のコンピュータ読取可能な媒体内に記憶されてもよい。
【００４８】
さらに理解されるであろうこととして、上述した実施形態の多様な側面は、適切なプロセッサ回路上で実行されるプログラム命令、ハードコードされたデジタル回路及び／若しくはアナログ回路、又は適切なそれらの組合せであり得る機能的な「モジュール」によって遂行されるものとして理解されることができる。例えば、図９は、ＵＥ１２において実装され得るような例示的な機能モジュール又は回路のアーキテクチャを例示しており、それらは、不必要なＵＥ障害標識の送信を最小化するために、デュアルコネクティビティ動作をサポートするネットワーク内でＵＥ１２を動作させる例えば処理ユニット３０及びメモリ３６に基づく。例示した実施形態は、少なくとも機能的な面で、複数のＳＣＧ障害トリガイベントのうちの１つのＳＣＧ障害トリガイベントを検出することに応じて、ＵＥ１２についてのＳＣＧ障害を検出するための検出モジュール９０２、を含む。また、上記実装は、検出されるＳＣＧ障害に応じて、ＵＥ障害標識メッセージを送信するための送信モジュール９０４と、さらなるＵＥ障害標識メッセージの送信が再有効化されるまで、ＳＣＧ障害トリガイベントに応じたさらなるＵＥ障害標識メッセージの当該送信を差し控えるための差し控えモジュール９０６をも含む。
【００４９】
他の例において、図１０は、基地局１０において実装され得るような例示的な機能モジュール又は回路のアーキテクチャを例示しており、それらは、デュアルコネクティビティ動作をサポートするネットワーク内で基地局１０を動作させる例えば処理ユニット４０及びメモリ４６に基づく。例示した実施形態は、少なくとも機能的な面で、ＳＣＧ障害トリガイベントに応じてＵＥ１２がＵＥ障害標識を送信することを禁止されることを示すＵＥ障害標識メッセージを受信するための受信モジュール１００２と、ＵＥ１２がＳＣＧ障害トリガイベントに応じてＵＥ障害標識を送信するように再有効化されることをＵＥ１２に示すためのＲＲＣ接続再構成メッセージを送信するための送信モジュール１００４と、を含む。
【００５０】
このように、ここでの実施形態の１つの目的は、ワイヤレス通信ネットワークにおいてＳＣＧ障害検出後の不必要なＵＥ障害標識を最小化することである。上記実施形態の禁止状態及び／又は禁止タイマの利点は、予期しないＵＥの振る舞い及び／又は不必要な送信を回避することを含む。そうした無線リソースの浪費を回避することにより、システムキャパシティが増加するであろう。
【００５１】
とりわけ、前述の説明及び関連付けられる図面に現れる教示の恩恵を有する開示された発明の修正例及び他の実施形態が、当業者により想起されるであろう。従って、理解すべきこととして、本発明は、開示された具体的な実施形態には限定されず、本開示のスコープの範囲内に修正例及び他の実施形態が含まれることが意図される。ここでは具体的な用語が採用されているかもしれないが、それらは限定の目的ではなく汎用的かつ説明的な意味でのみ用いられている。
【図１】
0006401390.tif 000002
【図２】
0006401390.tif 000003
【図３】
0006401390.tif 000004
【図４】
0006401390.tif 000005
【図５】
0006401390.tif 000006
【図６】
0006401390.tif 000007
【図７】
0006401390.tif 000008
【図８】
0006401390.tif 000009
【図９】
0006401390.tif 000010
【図１０】
0006401390.tif 000011